(57)【特許請求の範囲】
【請求項１】
可撓性シート材料の第１の側壁（１）および第２の側壁（２）と、細長いドレイン部分とを備えるドレインオストミーパウチであって、
第１の側壁（１）および第２の側壁（２）は、互いにシールされて、第１の側壁（１）と第２の側壁（２）との間にキャビティを形成し、
該キャビティは、第１の側壁（１）の開口部（８ａ）を通して、ヒトのストーマからの排出を受け、
該ドレイン部分は、当該ドレインオストミーパウチの長軸方向に下方に延びて、この方向に対して垂直に位置するドレイン開口部（５）で終了し、ドレイン開口部（５）は、第１の側壁（１）および第２の側壁（２）の下端によって規定されるものであり、
第１の可撓性の剛性ストリップ（６）が、ヒートシールまたは接着などによって、該ドレイン部分の第１の側壁（１）の外表面に取り付けられ、
第２の可撓性の剛性ストリップ（７）が、ヒートシールまたは接着などによって、該ドレイン部分の第２の側壁（２）の外表面に取り付けられ、
第１の可撓性の剛性ストリップ（６）および第２の可撓性の剛性ストリップ（７）は、それぞれ、ＰＥＴ、ナイロン、高密度ポリエチレンおよび低密度ポリエチレンからなる群から選択される材料から形成され、
第１の可撓性の剛性ストリップ（６）および第２の可撓性の剛性ストリップ（７）は、ドレイン開口部（５）の外周に沿って配置され、
当該パウチは、さらに、フラップ（１０）を含む保持手段を備え、
該フラップ（１０）の片面が、該フラップ（１０）の一端部（１１）で第２の側壁（２）の外表面に付着し、そして、該フラップ（１０）の反対側の片面が、第１のインターロック手段（１２）を備え、
当該パウチは、さらに、第１のインターロック手段（１２）に対応する第２のインターロック手段（９）を第１の側壁（１）の外表面上に備え、第１のインターロック手段（１２）は、第２のインターロック手段（９）と共働し、
フラップ（１０）は、フラップ（１０）の端部（１１）を除いた部分と、端部（１１）とが形成する角を中心として、第２の側壁（２）に対して、回転することができ、
該保持手段が、第１の可撓性の剛性ストリップ（６）および第２の可撓性の剛性ストリップ（７）を少なくとも２回または３回巻き上げてコイル状で保持するためにあり、
１回目の巻き上げにおいて、第２の可撓性の剛性ストリップ（７）側が内側になるように、第１の可撓性の剛性ストリップ（６）側から、第２の可撓性の剛性ストリップ（７）側に、ドレイン開口部（５）を折り畳むことでコイル状に少なくとも２回または３回巻き上げることができる、
パウチ。
【請求項２】
フラップ（１０）の端部（１１）が、ドレイン開口部（５）と実質上平行な関係で第２の側壁（２）に付着される、請求項１記載のパウチ。
【請求項３】
手の指によってグリップされるグリッピングタブ（１３）が、前記フラップから延びている、請求項２記載のパウチ。
【請求項４】
端部（１１）が、ドレイン開口部（５）から、第１または第２の剛性ストリップ（６）または（７）の幅の２倍または３倍の距離だけ離れている、請求項２または３記載のパウチ。
【請求項５】
さらに、可撓性シート材料からなる中間壁（３）を有し、
中間壁（３）は、第１の側壁（１）と第２の側壁（２）との間に配置され、前記キャビティを２つのコンパートメント（３ａ）と（３ｂ）とに分離し、中間壁（３）は、底端（４）で終了し、
底端（４）は、第１の剛性ストリップ（６）と第２の剛性ストリップ（７）との間に存在し、ドレイン開口部（５）から離れて配置される、請求項１〜４のいずれか１項に記載のパウチ。
【請求項６】
中間壁（３）が、開口部（８ｂ）を有し、開口部（８ｂ）を通して、コンパートメント（３ａ）と（３ｂ）との間で腸内ガスが移行する、請求項５記載のパウチ。
【請求項７】
可撓性シート材料のグリッピングタブ（１５）および（１６）が、ドレイン開口部（５）の近くの領域において、第１の側壁（１）および／または第２の側壁（２）あるいは第１の剛性ストリップ（６）および／または第２の剛性ストリップ（７）の外表面に付着する、請求項１〜６のいずれか１項に記載のパウチ。
【発明の詳細な説明】
【発明の詳細な説明】
【０００１】
（技術分野）
本発明は、ドレインオストミーパウチ（ｄｒａｉｎａｂｌｅ  ｏｓｔｏｍｙ  ｐｏｕｃｈ）に関し、本発明のドレインオストミーパウチは、可撓性のシート材料からなる第１（または近位）の側壁と、可撓性のシート材料からなる第２（または遠位）の側壁とを備え、２つの側壁は、互いにシールされて、２つの側壁の間にキャビティを形成し、このキャビティは、近位の側壁の開口部を通して、ヒトのストーマからの排出を受けるものであり、さらに、本発明のドレインオストミーパウチは、細長いドレイン部分を備え、この細長いドレイン部分は、その縦方向に下方に延び、そして、この縦方向に対して垂直に延びるドレイン開口部で終了するものである。
【０００２】
（従来の技術）
このようなオストミーパウチの使用に関して、パウチ利用者の生活の質（クオリティー・オブ・ライフ）について、いろいろと考えることがとても重要である。パウチは、衣服やその周りを汚す危険なく、容易に排出できなければならず、パウチは、ドレイン排出後には容易に密閉されなければならず、なおかつ、パウチは、不快臭の危険が実質的に減少するように、ドレイン後および再び閉じる前に、清掃され得るべきである。
【０００３】
密閉、清掃およびドレイン操作に関して多くの異なる解決策が提案され、実施されてきた。これらの解決策はすべて密閉の確保や老人にとって難しい器用さが必要であったり、清掃方法が難しかったりなどの深刻な欠点を有する。
【０００４】
英国特許出願ＧＢ２０００６８３には、参照として、ドレイン部分の縦方向を横切って延びるドレイン開口部に近接かつ沿ったドレイン部分の底部に遠位側壁の外表面に結合した比較的硬いポリマー材料のバー（ｂａｒ）を有するタイプのドレインオストミーパウチが開示されている。このバーは縦方向におけるドレイン部分を近位側壁に付着したベルクロの横に伸びるストリップがその遠位壁に付着した横方向に延びるフラップに存在するベルクロの対応するストリップによって係止することができるまで、折り畳むことを促進するのに用いられる。
【０００５】
ドレイン開口部およびその周りの領域は、清掃するのが困難である。というのも、薄い近位壁フィルムをバーから離れて配置することが簡単ではないので、フィルムとバーとの間に存在する細長い物体を掃除したり、取り除いたりすることが困難である。さらに、ドレイン部分を上方に折り畳む場合、近位壁フィルムの端部が上方にずれて移動することもあり、それによって皺ができる場合があり、このような皺に沿って起こる漏れによって、密閉が壊れる危険が増加する。
【０００６】
本発明の目的の１つは、ドレイン開口部およびその周りの領域の清掃（ｃｌｅａｎｉｎｇ）が容易であるドレインオストミーパウチを提供することであり、しかも、このドレインオストミーパウチにおいて、折り畳み操作によって、確実にしっかりとしたコイルを形成し、近位壁フィルムの皺に沿って漏れ通路が形成される危険をなくすようにすることを目的とする。
【０００７】
本発明によれば、この目的は、上記のドレイン開口部に隣接して、なおかつ、上記のドレイン開口部に沿って延びる、比較的剛性を有する材料（例えば、ＰＥＴ、ナイロン、高密度ポリエチレン、低密度ポリエチレンまたはポリプロピレン）からなる、第１（または近位）の可撓性の剛性ストリップおよび第２（または遠位）の可撓性の剛性ストリップを備えるパウチによって達成される。ここで、第１（または近位）および第２（または遠位）の可撓性の剛性ストリップは、例えば、ヒートシールまたは接着によって、それぞれ、上記ドレイン部分の第１および第２の側壁の外表面に取付けられている。さらに、本発明のパウチは保持手段を備え、この保持手段は、第１および第２の剛性ストリップと、それに対応する、上記ドレイン部分の第１および第２の側壁の領域とを一緒に、少なくとも２回、好ましくは３回巻き上げることによって形成したコイルを巻き上げた状態で保持するためのものである。
【０００８】
これにより、２つの剛性ストリップを互いに圧迫して、その間に存在する物体を押し出すことによって、容易かつ効果的に清掃を行うことができる。その結果、ドレイン開口部に隣接して配置されたストリップの重ね合わされた端部を拭くことによって、例えばティッシュで拭くことによって、物体を清掃して取り除くことができる。ストリップの間に、押し出すことができない長い物体が存在する場合、ストリップを離すことによって、この物体を取り除くことができる。ストリップから薄いフィルムを分離するよりも比較的簡単にストリップを離すことができる。フィルムは、取り付けた剛性ストリップによって、平坦に保たれるので、折り畳み操作の間、ドレイン開口部付近において、近位フィルムに皺が形成される恐れはない。
【０００９】
本発明のオストミーパウチの実際の好ましい態様では、上記保持手段が、シート材料の保持ストリップを含み、上記保持ストリップが、第１の保持ストリップ表面および第２の保持ストリップ表面と、第１の保持ストリップ縦端および第２の保持ストリップ縦端とを有し、上記保持ストリップは、第１の保持ストリップ表面の付着ゾーンによって、当該パウチの第１の側壁の外表面に取付けられ、上記付着ゾーンは、第１の保持ストリップ縦端に沿って隣接して延び、上記保持ストリップは、上記ドレイン開口部と実質上平行な関係にあり、第２の保持ストリップ表面の領域が、第１のインターロック手段で覆われ、第１のインターロック手段が、対応する第２のインターロック手段と共働し、第２のインターロック手段が、当該パウチの第２の側壁の外表面上に位置する。
【００１０】
その結果、上記コイルをフラップの下側でロックする場合、上記付着ゾーンはコイルの下側に存在するようになり、それによって、フラップの下側において、コイルのさらに安定な保持が提供される。さらに、上記付着ゾーンと、上記フラップの上記付着ゾーンを除いた残りの部分との間に折り目が形成されるので、このフラップは、外側に向かって、開くことができるようになり、このとき、上記剛性ストリップを巻き上げることによって、上記コイルが形成され、それによって、フラップを把持することによって、コイルをロックすることが簡単になる。
【００１１】
現在の好ましい態様では、手の指でグリップするためのグリッピングタブが、上記の第２の保持ストリップ縦端から延びている。これによって、係合した２つのインターロック手段の取り外しが促進され、このとき、ドレイン部分の折り畳みを元に戻して、パウチを空にすることができる。
【００１２】
好ましくは、第１の保持ストリップ縦端から離れた上記付着ゾーンの端部が、上記ドレイン開口部から、第１または第２の剛性ストリップの一番広い部分の幅の実質的に２倍以上、好ましくは３倍に等しい距離だけ離れている。これによって、上記付着ゾーンと、上記フラップの上記付着ゾーンを除いた残りの部分との境界の折り目に隣接して、上記コイルをぴったりと、なおかつ、しっかりと収納するようになり、これによって、上記フラップの下側において、上記コイルをさらに安定に保持することができる。
【００１３】
効果的には、オストミーパウチは、さらに、可撓性シート材料からなる第３の中間壁を有していてもよい。この中間壁は、第１の側壁と第２の側壁との間に配置され、上記キャビティを２つのコンパートメントに分離するものである。さらに、この中間壁は、横方向に延びる底端で終了し、この底端は、第１の剛性ストリップと第２の剛性ストリップとの間に存在するものであり、なおかつ、上記ドレイン開口部から離れて配置されるものであり、底端は、好ましくは、第１の剛性ストリップまたは第２の剛性ストリップの一番狭い部分の幅のほぼ半分だけ離れて配置されている。
【００１４】
上記底端をドレイン部分の底部から距離をおいて配置することによって、底端が掃除工程を邪魔せず、しかも、底端を剛性ストリップの間に配置することによって、中間壁の移動および／または中間壁の皺を原因とする上記２つのコンパートメント間での漏れの発生を回避することができる。
【００１５】
好ましくは、中間壁が、その上端またはその近傍に、開口部を有し、この開口部を通して、腸内ガスが、上記２つのコンパートメントの間を移行する。
【００１６】
有利には、上記ドレイン部分の上記２つの側壁が、その縦端に沿って、ヒートシールまたは接着による端部シームによって、互いに取付けられていてもよい。そして、上記剛性ストリップの少なくとも１つが、上記端部シームの１つを越えて延びていてもよい。これによって、上記剛性ストリップの長手方向にかけて上記剛性ストリップの端部に力を加えると、上記剛性ストリップは、湾曲して、互いに離れることができ、排出速度を調節することができ、しかも、目的の清掃を行うことができる。これは、上記シームの１つを支点として発生した屈曲トルクに起因する。
【００１７】
上記近位の剛性ストリップは、その２つの対向する端部の少なくとも１つが遠位の方向に傾けて構成されていてもよい。そして／あるいは、上記遠位の剛性ストリップは、その２つの対向する端部の少なくとも１つがその近位の方向に傾けて構成されていてもよい。上記の傾けた部分の端部に、上記剛性ストリップの長手方向にかけて、力を加えると、屈曲トルクが発生して、剛性ストリップが互いに離れて湾曲する。
【００１８】
上記の傾きを有する端部の全長は、前記ドレイン部分の対応する端部シームを越えて延びていてもよい。また、上記の傾きを有する端部は、その対応する剛性ストリップの長手方向において、実質的に直線状であってもよい。あるいは、上記の傾きを有する端部が、その対応する剛性ストリップの長手方向において、弓形であってもよい。
【００１９】
好ましくは、上記近位の剛性ストリップが、上記ドレイン開口部の一端に、上記の傾きを有する端部（または延長部）を１つだけ有し、そして、前記遠位の剛性ストリップが、上記ドレイン開口部の上記とは反対側の一端に、上記の傾きを有する端部（または延長部）を１つだけ有する。これによって、上記剛性ストリップの長手方向に力を加えると、上記剛性ストリップが、互いに離れて、実質的に対称的に曲がることができる。
【００２０】
有利には、上記剛性ストリップの少なくとも１つが、その長手方向に湾曲してもよく、その結果、対応する側壁に取り付けた上記剛性ストリップの表面が、上記剛性ストリップの長手方向において、凹状となる。これによって、剛性ストリップの末端に長手方向に力を加えると、固有の特徴として、上記剛性ストリップが互いに離れて曲がるように、上記剛性ストリップが構成される。
【００２１】
有利には、可撓性シート材料のグリッピングタブが、上記ドレイン開口部の近くの領域において、遠位の側壁および／または近位の側壁あるいは上記剛性ストリップの外表面に取り付けられていてもよい。これによって、清掃や曲げることを目的とした、上記剛性ストリップを離すための非常に効果的な手段が提供される。
【００２２】
以下、本発明を添付の図面を単に例として示した種々の例示に関してさらに詳細に説明する。
【００２３】
本発明によるオストミーパウチはワンピースまたはツーピースのオストミーアプライアンスの部分であってよい。
【００２４】
図１〜３を参照して、本発明によるオストミーパウチの現在の好ましい態様は液体およびガスを不透過な可撓性材料の３枚のシートもしくはフィルムから構成され、身体側、すなわち近位フィルム１、その反対、すなわち遠位フィルム２と、底端４を有しかつパウチを腸内ガス室３ａと糞便室３ｂとに分離する中間フィルム３とからなる。
【００２５】
フィルム１および２の下端によって区切られるドレイン開口部または排出口５で終了する細長いドレイン部分は、パウチの主要部分から下方に延びている。
【００２６】
比較的剛性で可撓性のプラスチック材料、たとえばＰＥＴ、ナイロン、ＨＤＰＥまたはＬＤＰＥの近位剛性ストリップ６および遠位剛性ストリップ７をフィルム１および２の底端の外表面にそれぞれ取付け、ドレイン開口部５の全長に沿ってかつドレイン開口部５に隣接して延びる。
【００２７】
排出口５から中間フィルム３の底端４の距離はほぼストリップ６および７の幅の半分である。皮膚にやさしい接着バリヤ材料のフェースプレート８をフィルム１に取付ける。フェースプレート８を利用して、オストミーパウチの装着者のストーマの周囲（peristomal）の皮膚表面にパウチを公知の方法で取付ける。
【００２８】
フェースプレート８およびそのフェースプレート８が取付けられているフィルム１には中心を合わせたストマー受開口部８ａまたは取付時にハサミでカットすることにより拡大しうる中心を合わせたスターター開口部を有しており、それら全て公知である。また、中間フィルム３はその上端部またはその付近に腸内ガスを腸内ガス室３ａに糞便室３ｂから移行させ、同時に糞便物質のそれぞれの室３ｂから３ａへの移行を防止または禁止する米国特許５，６９０，６２３に記載の如き開口部８ｂを有してもよい（この特許の記載をここに導入する）。
【００２９】
インターロック手段、たとえばベルクロ（フックまたはループ部分）、ドイツ国、Ｇ．Ｂｉｎｄｅｒ  ＧｍｂＨ＆Ｃｏ製のデュオテック（ＤＵＯＴＥＣ）（インターロッキングマッシュルーム要素）または公知の繰返し脱着できる接着被膜のストリップ９をフィルム１に取付ける。
【００３０】
可撓性フィルム材料のフラップ１０を、フラップ１０の端部１１を溶着または接着することによってフィルム２に取付ける。対応するインターロック手段、たとえばベルクロ（ループまたはフック部分）、デュオテックまたは前記の繰返し脱着しうる接着被膜のストリップ１２をフラップ１０に取付ける。
【００３１】
フラップ１０は図１、図２および図３において異なる位置に示されているが、図３に示されているフラップ１０の位置は、図２および図３に示されたフラップ１０の位置に比べて、方向Ｒ１に回転しており、図２および図３の場合、フラップ１０は、フィルム２に近接、すなわち、方向Ｒ２に可能な限り回転している。フラップ１０は、使用者の指によってつかむために、グリッピングタブ１３を有している。
【００３２】
使用時には、パウチの排出部分を、ドレイン開口部５を通して空にした後、以下の方法で閉じる：
【００３３】
ストリップ６および７は、共に、ストリップ６および７の間の領域から、残存する物質を搾り出すように圧迫される。もしストリップ６および７の間の物質が押出されなかったならば、ストリップは、ストリップを引いて、または、曲げて開口し、除去するべき物質にアクセスできるようにする。排出口５を構成するストリップ６および７の端部は、次に、ティッシュできれいに拭き取る。
【００３４】
その後、ストリップ６および７を、ストリップ７がフィルム２の領域ａに近接するまで、矢印Ｒ３の方向に時計周りに回転させる。その後、ストリップ６および７を、ストリップ６がフィルム２の領域ｂに近接するまで、もう一回時計周りに回転させる。
【００３５】
最後に、ストリップ６および７を最後にもう一回時計回りに回転して、ストリップ６、７および９並びに関連するフィルム１、２および３の部分で形成されるコイルがフィルム２の領域ｃに接近し、ベルクロ等のストリップ９が、対応するベルクロ等のストリップ１２がフラップ１０を方向Ｒ１に回転することによって、ストリップ１２と係合できるように配置し、その後、２つのベルクロストリップ９および１２が互いに近接および係合し、排出部分の最終的に閉じて保持される位置において、上記コイルをロック（固定）する。
【００３６】
この閉じてコイルを巻く位置において、コイルの上端は、好ましくは、フラップ１０の部分１１を除いた残りの部分と、部分１１との間に形成される角部（ａｎｇｌｅ）に、ぴったりと、しかも、しっかりと適合するべきであり、それによって、コイルおよび部分１１に力がかかるようになり、これは、密閉の安定性を高めるのに貢献する。また、ストリップ６および７の剛性が密閉の安定性には重要である。
【００３７】
フラップ１０の部分１１を除いた残りの部分と、部分１１との間の角度（ａｎｇｌｅ）または折り曲げ（ｆｏｌｄ）は、さらなる利点を提供し、それによって、フラップ１０は、その弛緩した状態では、開いた位置にいるようになり、このとき、フィルム２には接していない。このような位置では、排出部分を巻き上げるときに、容易につかむことができる。
【００３８】
パウチをドレインするときには、フラップ１０をタブ１３でつかみ、そして引っ張ると、ストリップ９および１２が離れて、ストリップ６および７が三回反時計周り方向に回転することによって、コイルを巻き戻すことができる。
【００３９】
ストリップ６および７を使用して、パウチの排出速度を調節してもよい。これは、矢印Ｒ４の方向に、ストリップ６および７の端部に多少の力を加えて押すことによって、開口部５を開けたり、閉めたりすることによって行われ、ストリップ６および７は、それぞれ、対向して、互いに離れるように、湾曲する。
【００４０】
この機能は、図面のなかでも図５において強調して示す通り、ストリップ６および７を変形させることによって、簡単になる。図５は、ストリップ６および７の断面を示す（ストリップ６および７の長手方向）。図５は、ストリップ６および７が、対向して湾曲するように製造されることを図示し、これによって、Ｒ４の方向に指で押すことによって、開口部５を開けることが簡単になる傾向がある。
【００４１】
ドレイン部分の緊密かつ正確な巻き上げまたは折り畳みを促進するために、ドレイン部分を図４に示すような形態にしてもよく、比較的剛性を有し、なおかつ、可撓性のプラスチツク材料から形成された別のストリップ１４をフィルム１の領域ａに接着し、それをほぼ覆うようにする。その場合、ベルクロストリップ９は図３のものよりも広く、フィルム１の領域ｂをほぼカバーするようにする。これによって、排出部分の正確かつ緊密な折り畳みが促進され、フラップ１０の下側において、できる限り最高の密閉が保証される。ストリップ１４の厚さは、ストリップ６、７の厚さよりも薄くてもよい。
【００４２】
さらに排出部分の正確かつ緊密な巻き上げを促進するために、別のストリップをフィルム１に接着し、その領域ｃをほぼカバーしてもよい。
【００４３】
中間フィルム３の底端４と、排出口５との間に距離を設けることによって、掃除を目的とした３つのフィルムの分離が容易となり、有益である。
【００４４】
さらに、ストリップ６および７の間に底端４を設けることにより、フィルム３が皺を生じずにフラットに保持され、フィルム１および２と同じ回数折り畳まれても、ドレイン部分の巻き上げられた密閉位置において、腸内ガス室３ａと糞便室３ｂとの間の中間フィルム３で漏れる危険性がないようにすることを保証する。
【００４５】
図４を参照して、二つのグリッピングタブ１５および１６が点線で示されており、タブ１５はフィルム１に接着もしくはヒートシールされ、タブ１６もストリップ７に接着もしくはヒートシールされている。時としてパウチをドレインするための開口部５を開口するためにストリップ６および７を分離することが難しくなる。何故ならば、互いに重ねあわせた二つのガラスプレートの接着に似たようなストリップ間の吸着効果が、特にドレイン開口部領域が湿潤である場合に、生じることがあるからである。そのような場合、タブ１５および１６をストリップ６および７を引っ張って離れさすように用いることができる。タブ１５および１６は、両方とも、ストリップ６および７に各々付着してもよく、また、フィルム１および２に各々付着してもよい。
【００４６】
図６および７を見ると、図１〜４におけるストリップ６および７と同様に、近位ストリップ２０および遠位ストリップ２１が、フィルム１または２に接着されている。各ストリップ２０および２１の一端が、ドレイン部分の長手方向の端部シーム２２または２３を越えて延び、突出した端部２４または２５を形成し、それぞれ、遠位または近位方向に、角度αで傾けられている。
【００４７】
端部２４および２５の反対側のストリップ２０および２１の端部は、それぞれ、側面の端部シーム２２または２３の上側、あるいは、端部シーム２２または２３に隣接して設けられている。傾いた部分２４および２５の傾きが始まる位置は、前記端部シーム２２または２３から、距離ｄ１だけ離れたところにあり、傾いた部分２４および２５の端部は、端部シーム２２または２３から、距離ｄ２だけ離れたところにある。
【００４８】
端部２４および２５の端部を方向Ｒ４に指で押すと、端部２４および２５は、図６中の点線で示された２４ａおよび２５ａの位置に変形し、端部シーム２２または２３によって構成される支点もしくは軸ポイントの回りにトルクが発生して、ストリップ２０および２１を曲げて、図６の破線で示した２０ａまたは２１ａの位置にまで開ける。
【００４９】
上記距離ｄ１は、端部２４および２５がそれぞれストリップ２１および２０の端部に近接することによって、邪魔されることなく曲がることを可能にする。
【００５０】
端部２４および２５の端部においてＲ４の方向に所定の力を加える場合、距離ｄ２が大きいと、ストリップ２０および２１にかかるトルクが大きくなる。
【００５１】
実験によって、角度αは非常に小さくてもよく、ゼロ（０）であってもよいことが示されている。何故ならば、上記のようにＲ４の方向に力を加えると、ストリップ２０および２１は、互いに、長手方向に移動し、端部シーム２２および２３で変形が生じ、これによって、αの値がゼロ（０）であっても、端部２４および２５が斜めに傾いて、所望の方向に曲がる。ストリップに対するシームの実際の幾何学的な変形に応じて力をかけることによって、αが小さな負の値であっても、正しい方向に曲げるトルクが発生する場合もある。しかし、αを正の値として所定の角度を設けることによって、比較的高い製造公差がある場合であっても、確実に、上記の正しい方向に曲げるトルクが得られる。
【００５２】
傾けられた端部２４および２５は直線的に示されているが、端部２４および２５は湾曲していてもよい。ただしこの場合、上記のように力を加えて所望の方向に曲がるようにして、ストリップ２０および２１を曲げるために必要なトルクを発生させる必要がある。
【００５３】
従って、端部シーム２２および２３、ならびに、ドレイン部分の縁部は、互いに、実質的に平行して延びているように示しているが、端部２４および２５は、巻き上げて閉じる操作の際、邪魔にならないようになっている。端部シームは、ストリップ２４および２５から、その上方にかけて、互いに向かって、少しテーパ状となっていてもよく、さらに、確実に、このような邪魔が起こらないようにしてもよい。
【００５４】
図８および９を参照して、図６および７における剛性ストリップ２０および２１と同様、剛性ストリップ３０および３１は、それぞれ、延長され、傾けられ、なおかつ、丸められた端部３２および３３ならびに３４および３５を有する。この丸められた端部にＲ４の方向に指で力を加えると、図６の点線で示すストリップ２０ａおよび２１ａの場合と同様に、端部シーム２２および２３のまわりにトルクが発生し、ストリップ３０および３１が曲がって互いに離れる。
【図面の簡単な説明】
【００５５】
【図１】本発明のパウチの現在の好ましい態様の近位側の模式平面図である。
【図２】本発明のパウチの現在の好ましい態様の遠位側の模式平面図である。
【図３】図１および２におけるＡ−Ａ線に沿った図１および２のパウチの細長いドレイン部分の拡大模式断面図である。
【図４】本発明のパウチの第２の態様の図３と同様の図である。
【図５】図３におけるＢ−Ｂ線に沿った拡大模式断面図である。
【図６】本発明のパウチの第３の態様の模式的な端面図であり、図６における端面図は図７におけるＡ−Ａ線に沿ったものである。
【図７】本発明のパウチの第３の態様の模式的な平面図である。
【図８】本発明のパウチの第４の態様の模式平面図である。
【図９】本発明のパウチの第４の態様の模式端面図であり、図９における端面図は図８におけるＡ−Ａ線に沿ったものである。
【図１】
0004601296.tif 000002
【図２】
0004601296.tif 000003
【図３】
0004601296.tif 000004
【図４】
0004601296.tif 000005
【図５】
0004601296.tif 000006
【図６】
0004601296.tif 000007
【図７】
0004601296.tif 000008
【図８】
0004601296.tif 000009
【図９】
0004601296.tif 000010